(57)【要約】【課題】めっき用スリットを用いることなくバンプ形成領域にめっきを施すことができ、したがってめっき用スリットの位置ずれによるバンプの形状不良の回避や、テープリードの狭ピッチ化などが可能となる配線基板の製造方法を提供する。【解決手段】テープリード２に酸化膜３を形成し（図１（ｂ１）、（ｂ２））、バンプを形成する領域に対応する位置にスリット孔４ａを有するエッチング用スリット４を用いて、そのスリット孔４ａに対応する領域に存在する酸化膜３を除去し（図１（ｃ１）、（ｃ２））、テープリード２の一部を露出させ（図１（ｄ１）、（ｄ２））、酸化膜３が除去されて露出したテープリード２上にめっきを施してバンプ６を形成する（図１（ｅ１）、（ｅ２））。【選択図】図１
2006269700.tif 000002
【特許請求の範囲】
【請求項１】
絶縁性基材上に設けられた導体配線に絶縁膜を形成する工程と、
前記導体配線の長手方向を横切って前記導体配線の両側の領域に広がるスリット孔を有するスリットを前記絶縁性基材に対向させる工程と、
前記スリットを通して、前記スリット孔に対応する領域に存在する前記絶縁膜を除去し、前記導体配線の一部を露出させる工程と、
前記絶縁膜が除去されて露出した前記導体配線上にめっきを施して突起電極を形成する工程と、
を有することを特徴とする配線基板の製造方法。
【請求項２】
請求項１記載の配線基板の製造方法において、前記絶縁膜は酸化膜であることを特徴とする配線基板の製造方法。
【請求項３】
導体配線が設けられた絶縁性基材のその前記導体配線が設けられた面側の全面に感光性絶縁膜を形成する工程と、
前記導体配線の長手方向を横切って前記導体配線の両側の領域に広がる光透過部あるいは光遮断部を有する露光マスクを前記絶縁性基材に対向させる工程と、
前記露光マスクを通して、前記光透過部あるいは光遮断部に対応する領域に存在する前記感光性絶縁膜を除去し、前記導体配線の上面の一部を露出させる工程と、
前記感光性絶縁膜が除去されて露出した前記導体配線の上面にめっきを施して突起電極を形成する工程と、
を有することを特徴とする配線基板の製造方法。
【請求項４】
請求項３記載の配線基板の製造方法において、前記感光性絶縁膜は感光性のポリイミド膜であることを特徴とする配線基板の製造方法。
【請求項５】
導体配線が設けられた絶縁性基材のその前記導体配線が設けられた面側の全面に感光性絶縁膜を形成する工程と、
前記導体配線の長手方向を横切って前記導体配線の両側の領域に広がる光透過部あるいは光遮断部を有する露光マスクを前記絶縁性基材に対向させる工程と、
前記露光マスクを通して前記感光性絶縁膜の除去を行い、前記光透過部あるいは光遮断部に対応する領域に存在する前記感光性絶縁膜を残して前記導体配線を露出させる工程と、
前記感光性絶縁膜が除去されて露出した前記導体配線に絶縁膜を形成する工程と、
残りの前記感光性絶縁膜を除去する工程と、
残りの前記感光性絶縁膜が除去されて露出した前記導体配線上にめっきを施して突起電極を形成する工程と、
を有することを特徴とする配線基板の製造方法。
【請求項６】
請求項５記載の配線基板の製造方法において、前記感光性絶縁膜は感光性レジストであることを特徴とする配線基板の製造方法。
【請求項７】
絶縁性基材上に設けられた導体配線に感光性絶縁膜を形成する工程と、
前記導体配線の長手方向を横切って前記導体配線の両側の領域に広がる光透過部あるいは光遮断部を有する露光マスクを前記絶縁性基材に対向させる工程と、
前記露光マスクを通して前記感光性絶縁膜の除去を行い、前記光透過部あるいは光遮断部に対応する領域に存在する前記感光性絶縁膜を残して前記導体配線を露出させる工程と、
前記感光性絶縁膜が除去されて露出した前記導体配線に絶縁膜を形成する工程と、
残りの前記感光性絶縁膜を除去する工程と、
残りの前記感光性絶縁膜が除去されて露出した前記導体配線上にめっきを施して突起電極を形成する工程と、
を有することを特徴とする配線基板の製造方法。
【請求項８】
絶縁性基材上に下地金属を形成する工程と、
前記下地金属上に第１の感光性絶縁膜を形成する工程と、
所定の配線パターン状の第１の光透過部あるいは光遮断部を有する第１の露光マスクを前記絶縁性基材に対向させる工程と、
前記第１の露光マスクを通して、前記第１の光透過部あるいは光遮断部に対応する領域に存在する前記第１の感光性絶縁膜を除去し、前記下地金属の上面の一部を露出させる工程と、
前記第１の感光性絶縁膜が除去されて露出した前記下地金属の上面にめっきを施して導体配線を形成する工程と、
前記絶縁性基材の前記導体配線が形成された面側の全面あるいは前記導体配線の上面に第２の感光性絶縁膜を形成する工程と、
前記導体配線の長手方向を横切って前記導体配線の両側の領域に広がる第２の光透過部あるいは光遮断部を有する第２の露光マスクを前記絶縁性基材に対向させる工程と、
前記第２の露光マスクを通して前記第２の感光性絶縁膜の除去を行い、前記第２の光透過部あるいは光遮断部に対応する領域に存在する前記第２の感光性絶縁膜を残して前記導体配線の上面を露出させる工程と、
前記第２の感光性絶縁膜が除去されて露出した前記導体配線の上面に絶縁膜を形成する工程と、
残りの前記第２の感光性絶縁膜を除去する工程と、
残りの前記第２の感光性絶縁膜が除去されて露出した前記導体配線の上面にめっきを施して突起電極を形成する工程と、
残りの前記第１の感光性絶縁膜を除去するとともに、この残りの前記第１の感光性絶縁膜が除去されて露出した前記下地金属を除去する工程と、
を有することを特徴とする配線基板の製造方法。
【請求項９】
絶縁性基材と、前記絶縁性基材上に設けられた導体配線と、前記導体配線上に形成された突起電極とを備える配線基板において、前記導体配線は、前記突起電極が形成されている領域以外の領域が絶縁膜により被覆されていることを特徴とする配線基板。
【請求項１０】
請求項９記載の配線基板において、前記突起電極は、前記導体配線の長手方向を横切って前記導体配線の両側の前記絶縁性基材上の領域に亘って形成されるとともに前記導体配線の上面および両側面に接合されていることを特徴とする配線基板。
【請求項１１】
請求項９もしくは１０のいずれかに記載の配線基板において、前記絶縁膜は酸化膜であることを特徴とする配線基板。
【請求項１２】
絶縁性基材と、前記絶縁性基材上に設けられた導体配線と、前記導体配線の上面に形成された突起電極とを備える配線基板であって、前記導体配線は、前記突起電極が形成されている領域以外の上面領域が絶縁膜により被覆されていることを特徴とする配線基板。
【請求項１３】
請求項９ないし１２のいずれかに記載の配線基板において、前記導体配線上面の前記突起電極は、前記導体配線上面の前記絶縁膜よりも厚い部分を有することを特徴とする配線基板。
【請求項１４】
絶縁性基材と、前記絶縁性基材上に設けられた導体配線と、前記導体配線の上面に形成された突起電極とを備える配線基板であって、前記絶縁性基材の前記導体配線が設けられた面側の全面は、前記突起電極が形成されている領域以外の領域が感光性絶縁膜で被覆されていることを特徴とする配線基板。
【請求項１５】
請求項１４記載の配線基板において、前記感光性絶縁膜は感光性のポリイミド膜であることを特徴とする配線基板。
【請求項１６】
請求項１４もしくは１５のいずれかに記載の配線基板において、前記導体配線上面の前記突起電極は、前記導体配線上面の前記感光性絶縁膜よりも厚い部分を有することを特徴とする配線基板。
【請求項１７】
請求項９ないし１６のいずれかに記載の配線基板と、前記配線基板上に実装された半導体素子とを備え、前記突起電極を介して、前記半導体素子の電極部と前記導体配線とが接続された半導体装置。
【発明の詳細な説明】
【技術分野】
【０００１】
本発明は、突起電極付きの配線基板の製造方法と、その製造方法で製造された配線基板と、その配線基板に半導体素子を実装した半導体装置に関する。
【背景技術】
【０００２】
フィルム基材を使用したパッケージモジュールの一種として、絶縁性のフィルム基材を用いたＣＯＦ（Ｃｈｉｐ  Ｏｎ  Ｆｉｌｍ）が知られている。ＣＯＦは、現在フラットパネルディスプレイの駆動用ドライバに主に使用されている。
【０００３】
以下、ＣＯＦ等の半導体装置にベースとして使用されるテープキャリア基板の従来の製造方法について、図９を用いて説明する。テープキャリア基板は、絶縁性のフィルム基材上に導体配線であるテープリードが設けられ、さらにそのテープリード上に突起電極であるバンプが形成された配線基板である。
【０００４】
図９は、従来のテープキャリア基板の製造工程を示す図である。図９（ａ１）〜（ｄ１）は、テープキャリア基板の半導体搭載部の平面図、図９（ａ２）〜（ｄ２）は、各々図９（ａ１）〜（ｄ１）に対応しており、図９（ａ１）に示すＡ−Ａ´の位置から見た断面を表している。
【０００５】
まず、ポリイミド製のフィルム基材１と電極層からなる２層構造のテープを作製する。通常、電極層には導電性の物質である銅（Ｃｕ）が広く用いられている。その後、暗室工程、エッチング工程を経て、電極層のエッチングを行い、テープキャリア基板の半導体搭載部に長さが異なり且つ整列したテープリード２を形成する（図９（ａ１）、（ａ２））。
【０００６】
次に、フィルム基材１のテープリード２が形成された面側の全面をめっき用スリット２０で覆う。めっき用スリット２０は、テープリード２の長手方向を横切ってテープリード２の両側の領域に広がるスリット孔２０ａを千鳥状に有しており、各スリット孔２０ａをバンプを形成する領域に合わせ込む（図９（ｂ１）、（ｂ２））。
【０００７】
次に、図９（ｃ１）、（ｃ２）に示すように、めっき方式でバンプ６の形成を行う。通常、めっき方式としては、電解めっき方式が採用される。すなわち、めっき液をスリット孔２０ａを通じてテープリード２に当て、テープリード２に電流を供給することで、バンプ６を形成する。バンプは、通常、金（Ａｕ）や銅（Ｃｕ）を用いて形成する。また、ある程度の硬度が必要な場合にはニッケル（Ｎｉ）を混ぜる方法もある。
【０００８】
最後に、図９（ｄ１）、（ｄ２）に示すように、めっき用スリット２０を外し、バンプ付テープキャリア基板が完成する。このように、従来は、テープリードが設けられたフィルム基材をめっき用スリットで覆い、スリット孔を通してめっきすることで、テープリード上にバンプを形成していた（特許文献１参照。）。
【０００９】
しかしながら、従来のテープキャリア基板の製造方法では、スリット孔のバンプ形成領域への合わせ込みがずれると、バンプの形状不良を生ずるおそれがあった。例えば図１０（ａ）に示すようにめっき用スリット２０が位置ずれして、スリット孔２０ａのテープリード幅方向の一方の端部が、バンプのテープリード幅方向の成長分よりもテープリード２に近接すると、バンプの形状不良を生じてしまう。そのため、従来は、バンプのテープリード幅方向の成長分を考慮して、スリット孔のバンプ形成領域への合わせ込みを高精度に行う必要があった。
【００１０】
また近年では、テープリードの狭ピッチ化が求められているが、めっき用スリットのスリット孔を通してめっきすることでテープリード上にバンプを形成する従来のテープキャリア基板の製造方法では、狭ピッチ化が進むと、めっき用スリットが少し位置ずれするだけで正規のバンプ形成領域以外にバンプが形成されるおそれがあった。例えば図１０（ｂ）に示すようにめっき用スリット２０が位置ずれして、スリット孔２０ａに対応する領域に隣のテープリード２も入ってしまうと、正規のバンプ形成領域以外にもバンプが形成されるおそれがある。このように、従来のめっき用スリットを用いたテープキャリア基板の製造方法は、テープリードの狭ピッチ化の妨げとなっていた。
【００１１】
また、従来のテープキャリア基板におけるテープリードは、バンプ形成領域以外の領域が剥き出しの状態になっており、そのため、半導体チップの電極部以外の領域がテープリードに接触して電気的不良が発生するおそれがあった。
【００１２】
また、従来のテープキャリア基板におけるテープリードは、銅等の導電性物質が剥き出しで形成されており、加えてバンプも銅や金等の導電性物質が剥き出しで形成されているので、ストレスマイグレーションやエレクトロマイグレーションにより、テープリードやバンプの導電性物質が移動してしまい、テープリードやバンプがショートしてしまうおそれがあった。
【００１３】
以上のように、従来のテープリード基板の製造方法は、めっき用スリットを用いてバンプを形成していたので、位置がずれるとバンプの形状不良が発生するおそれがあり、めっき用スリットの高精度な位置決めが必要であった。また、テープリードの狭ピッチ化の妨げともなっていた。
【００１４】
さらに、従来の製造方法で製造されたテープキャリア基板は、半導体チップを実装すると、半導体チップの電極部以外の領域がテープリードに接触して電気的不良が発生するおそれがあった。また、ストレスマイグレーションやエレクトロマイグレーションによってテープリードやバンプがショートしてしまうおそれがあった。
【特許文献１】特開２００１−１６８１２９号公報
【発明の開示】
【発明が解決しようとする課題】
【００１５】
本発明は、上記問題点に鑑み、テープリード（導体配線）のバンプ（突起電極）形成領域以外の領域を絶縁膜で被覆して、銅等の導電性物質が剥き出しの状態となっているバンプ形成領域にめっき方式でバンプを形成することにより、めっき用スリットを用いることなくバンプ形成領域にめっきを施すことができ、したがってめっき用スリットの位置ずれによるバンプの形状不良を回避できるとともに、テープリードの狭ピッチ化が可能となり、さらに半導体チップ（半導体素子）の電極部以外の領域がテープリードに接触して起こる電気的不良や、ストレスマイグレーションやエレクトロマイグレーションによるテープリードやバンプのショートも回避できるようになる配線基板の製造方法を提供することを目的とする。また、本発明は、上記した製造方法で製造した配線基板と、その配線基板に半導体素子を実装した半導体装置を提供することを目的とする。
【課題を解決するための手段】
【００１６】
本発明の請求項１記載の配線基板の製造方法は、絶縁性基材上に設けられた導体配線に絶縁膜を形成する工程と、前記導体配線の長手方向を横切って前記導体配線の両側の領域に広がるスリット孔を有するスリットを前記絶縁性基材に対向させる工程と、前記スリットを通して、前記スリット孔に対応する領域に存在する前記絶縁膜を除去し、前記導体配線の一部を露出させる工程と、前記絶縁膜が除去されて露出した前記導体配線上にめっきを施して突起電極を形成する工程と、を有することを特徴とする。また、本発明の請求項２記載の配線基板の製造方法は、請求項１記載の配線基板の製造方法において、前記絶縁膜が酸化膜であることを特徴とする。
【００１７】
また、本発明の請求項３記載の配線基板の製造方法は、導体配線が設けられた絶縁性基材のその前記導体配線が設けられた面側の全面に感光性絶縁膜を形成する工程と、前記導体配線の長手方向を横切って前記導体配線の両側の領域に広がる光透過部あるいは光遮断部を有する露光マスクを前記絶縁性基材に対向させる工程と、前記露光マスクを通して、前記光透過部あるいは光遮断部に対応する領域に存在する前記感光性絶縁膜を除去し、前記導体配線の上面の一部を露出させる工程と、前記感光性絶縁膜が除去されて露出した前記導体配線の上面にめっきを施して突起電極を形成する工程と、を有することを特徴とする。また、本発明の請求項４記載の配線基板の製造方法は、請求項３記載の配線基板の製造方法において、前記感光性絶縁膜が感光性のポリイミド膜であることを特徴とする。
【００１８】
また、本発明の請求項５記載の配線基板の製造方法は、導体配線が設けられた絶縁性基材のその前記導体配線が設けられた面側の全面に感光性絶縁膜を形成する工程と、前記導体配線の長手方向を横切って前記導体配線の両側の領域に広がる光透過部あるいは光遮断部を有する露光マスクを前記絶縁性基材に対向させる工程と、前記露光マスクを通して前記感光性絶縁膜の除去を行い、前記光透過部あるいは光遮断部に対応する領域に存在する前記感光性絶縁膜を残して前記導体配線を露出させる工程と、前記感光性絶縁膜が除去されて露出した前記導体配線に絶縁膜を形成する工程と、残りの前記感光性絶縁膜を除去する工程と、残りの前記感光性絶縁膜が除去されて露出した前記導体配線上にめっきを施して突起電極を形成する工程と、を有することを特徴とする。また、本発明の請求項６記載の配線基板の製造方法は、請求項５記載の配線基板の製造方法において、前記感光性絶縁膜が感光性レジストであることを特徴とする。
【００１９】
また、本発明の請求項７記載の配線基板の製造方法は、絶縁性基材上に設けられた導体配線に感光性絶縁膜を形成する工程と、前記導体配線の長手方向を横切って前記導体配線の両側の領域に広がる光透過部あるいは光遮断部を有する露光マスクを前記絶縁性基材に対向させる工程と、前記露光マスクを通して前記感光性絶縁膜の除去を行い、前記光透過部あるいは光遮断部に対応する領域に存在する前記感光性絶縁膜を残して前記導体配線を露出させる工程と、前記感光性絶縁膜が除去されて露出した前記導体配線に絶縁膜を形成する工程と、残りの前記感光性絶縁膜を除去する工程と、残りの前記感光性絶縁膜が除去されて露出した前記導体配線上にめっきを施して突起電極を形成する工程と、を有することを特徴とする。
【００２０】
また、本発明の請求項８記載の配線基板の製造方法は、絶縁性基材上に下地金属を形成する工程と、前記下地金属上に第１の感光性絶縁膜を形成する工程と、所定の配線パターン状の第１の光透過部あるいは光遮断部を有する第１の露光マスクを前記絶縁性基材に対向させる工程と、前記第１の露光マスクを通して、前記第１の光透過部あるいは光遮断部に対応する領域に存在する前記第１の感光性絶縁膜を除去し、前記下地金属の上面の一部を露出させる工程と、前記第１の感光性絶縁膜が除去されて露出した前記下地金属の上面にめっきを施して導体配線を形成する工程と、前記絶縁性基材の前記導体配線が形成された面側の全面あるいは前記導体配線の上面に第２の感光性絶縁膜を形成する工程と、前記導体配線の長手方向を横切って前記導体配線の両側の領域に広がる第２の光透過部あるいは光遮断部を有する第２の露光マスクを前記絶縁性基材に対向させる工程と、前記第２の露光マスクを通して前記第２の感光性絶縁膜の除去を行い、前記第２の光透過部あるいは光遮断部に対応する領域に存在する前記第２の感光性絶縁膜を残して前記導体配線の上面を露出させる工程と、前記第２の感光性絶縁膜が除去されて露出した前記導体配線の上面に絶縁膜を形成する工程と、残りの前記第２の感光性絶縁膜を除去する工程と、残りの前記第２の感光性絶縁膜が除去されて露出した前記導体配線の上面にめっきを施して突起電極を形成する工程と、残りの前記第１の感光性絶縁膜を除去するとともに、この残りの前記第１の感光性絶縁膜が除去されて露出した前記下地金属を除去する工程と、を有することを特徴とする。
【００２１】
また、本発明の請求項９記載の配線基板は、絶縁性基材と、前記絶縁性基材上に設けられた導体配線と、前記導体配線上に形成された突起電極とを備える配線基板において、前記導体配線が、前記突起電極が形成されている領域以外の領域を絶縁膜により被覆されていることを特徴とする。
【００２２】
また、本発明の請求項１０記載の配線基板は、請求項９記載の配線基板において、前記突起電極が、前記導体配線の長手方向を横切って前記導体配線の両側の前記絶縁性基材上の領域に亘って形成されるとともに前記導体配線の上面および両側面に接合されていることを特徴とする。また、本発明の請求項１１記載の配線基板は、請求項９もしくは１０のいずれかに記載の配線基板において、前記絶縁膜が酸化膜であることを特徴とする。
【００２３】
また、本発明の請求項１２記載の配線基板は、絶縁性基材と、前記絶縁性基材上に設けられた導体配線と、前記導体配線の上面に形成された突起電極とを備える配線基板であって、前記導体配線が、前記突起電極が形成されている領域以外の上面領域を絶縁膜により被覆されていることを特徴とする。
【００２４】
また、本発明の請求項１３記載の配線基板は、請求項９ないし１２のいずれかに記載の配線基板において、前記導体配線上面の前記突起電極が、前記導体配線上面の前記絶縁膜よりも厚い部分を有することを特徴とする。
【００２５】
また、本発明の請求項１４記載の配線基板は、絶縁性基材と、前記絶縁性基材上に設けられた導体配線と、前記導体配線の上面に形成された突起電極とを備える配線基板であって、前記絶縁性基材の前記導体配線が設けられた面側の全面のうち、前記突起電極が形成されている領域以外の領域が感光性絶縁膜で被覆されていることを特徴とする。また、本発明の請求項１５記載の配線基板は、請求項１４記載の配線基板において、前記感光性絶縁膜が感光性のポリイミド膜であることを特徴とする。
【００２６】
また、本発明の請求項１６記載の配線基板は、請求項１４もしくは１５のいずれかに記載の配線基板において、前記導体配線上面の前記突起電極が、前記導体配線上面の前記感光性絶縁膜よりも厚い部分を有することを特徴とする。
【００２７】
また、本発明の請求項１７記載の半導体装置は、請求項９ないし１６のいずれかに記載の配線基板と、前記配線基板上に実装された半導体素子とを備え、前記突起電極を介して、前記半導体素子の電極部と前記導体配線とが接続されたことを特徴とする。
【発明の効果】
【００２８】
本発明によれば、めっき用スリットを用いずに配線基板を製造でき、したがってめっき用スリットの位置ずれによる突起電極の形状不良を回避できるとともに、導体配線の狭ピッチ化が可能となる。さらに半導体素子の電極部以外の領域が導体配線に接触して起こる電気的不良や、ストレスマイグレーションやエレクトロマイグレーションによる導体配線や突起電極のショートも回避できる。
【発明を実施するための最良の形態】
【００２９】
以下、本発明の実施の形態におけるテープキャリア基板（配線基板）の製造方法と、その製造方法で製造されたテープキャリア基板と、そのテープキャリア基板に半導体チップ（半導体素子）を実装した半導体装置について説明する。
【００３０】
（実施の形態１）
図１は、本実施の形態１におけるテープキャリア基板の製造工程を示す図である。図１（ａ１）〜（ｅ１）は、テープキャリア基板の半導体搭載部の平面図である。図１（ａ２）〜（ｅ２）は、各々図１（ａ１）〜（ｅ１）に対応しており、図１（ａ１）に示すＡ−Ａ´の位置から見た断面を表している。
【００３１】
まず、絶縁性のフィルム基材（絶縁性基材）と電極層からなる２層構造のテープを作成する。通常、フィルム基材にはポリイミドが、電極層には導電性の物質である銅（Ｃｕ）が用いられる。
【００３２】
次に、電極層の全面に感光性レジストを形成する。通常、感光性レジストの形成には印刷方法などが用いられる。次に、露光マスクを通して、露光、現像を施し、テープリード（導体配線）を形成する領域を除いた領域に存在する感光性レジストを除去し、それによって露出した電解層をエッチングすることでテープリードを形成する。その後、不要となった感光性レジストを除去することで、図１（ａ１）、（ａ２）に示すように、長さが異なり且つ整列したテープリード２が半導体搭載部に設けられたフィルム基材１を得る。
【００３３】
次に、テープリード２の全面に絶縁膜として酸化膜３を形成する（図１（ｂ１）、（ｂ２））。酸化膜の形成方法としては、酸素雰囲気中にこのフィルム基材１を入れ、長時間そのまま放置する。そうすることでテープリード２上に酸化膜３が形成される。
【００３４】
次に、フィルム基材１のテープリード２が設けられた面側にエッチング用スリット４を対向させる。エッチング用スリット４は、各テープリード２の長手方向を横切って各テープリード２の両側の領域に広がるスリット孔４ａを有しており、各スリット孔４ａをバンプ（突起電極）を形成する領域に合わせ込む。その後、エッチング液を用いて、各スリット孔４ａに対応する領域に存在するテープリード２上の酸化膜３を除去する（図１（ｃ１）、（ｃ２））。これにより、図１（ｄ１）、（ｄ２）に示すように、テープリード２は、酸化膜で被覆された酸化膜保護部分と、酸化膜が除去されて導電性物質が露出した酸化膜除去部分５とに区分けされる。
【００３５】
なお、スリット孔４ａのバンプ形成領域への合わせ込みは、テープリードの幅方向についてはスリット孔４ａ中にテープリードの両端が収まるようにすればよく、バンプのテープリード幅方向の成長分を考慮する必要は無く、従来のめっき用スリットの合わせ込みのように高精度である必要は無い。
【００３６】
テープリードに酸化膜除去部分を形成したのは、めっき方式でバンプを形成する場合、非導電性物質である酸化膜が存在する部分のテープリード上にはバンプが形成されず、導電性物質であるテープリードが剥き出しになっている部分にバンプが形成されるためである。
【００３７】
次に、図１（ｅ１）、（ｅ２）に示すように、酸化膜除去部分５にめっき方式でバンプ６の形成を行う。以上の工程により、テープリード２の酸化膜除去部分５にバンプ６が形成されたテープキャリア基板が完成する。
【００３８】
なお、通常、めっき方式としては、電解めっき方式が採用される。すなわち、めっき液をテープリードに当て、テープリードに電流を供給することでバンプが形成される。バンプは、通常、金（Ａｕ）や銅（Ｃｕ）を用いて形成する。また、ある程度の硬度が必要ならばニッケル（Ｎｉ）を混ぜる方法もある。
【００３９】
（実施の形態２）
図２は、本実施の形態２におけるテープキャリア基板の製造工程を示す図である。図２（ａ１）〜（ｅ１）は、テープキャリア基板の半導体搭載部の平面図である。図２（ａ２）〜（ｅ２）は、各々図２（ａ１）〜（ｅ１）に対応しており、図２（ａ１）に示すＡ−Ａ´の位置から見た断面を表している。
【００４０】
まず、前述した実施の形態１と同様にフィルム基材１を製造する（図２（ａ１）、（ａ２））。次に、このフィルム基材１のテープリード２が設けられた面側の全面に感光性絶縁膜として感光性のポリイミド膜７を形成する（図２（ｂ１）、（ｂ２））。通常、感光性のポリイミド膜の形成には印刷方法などが用いられる。なお、膜厚は１．０〜２．０μｍレベルにする。
【００４１】
次に、フィルム基材１のテープリード２が設けられた面側に露光マスク８を対向させる。露光マスク８は、各テープリード２の長手方向を横切って各テープリード２の両側の領域に広がる光透過部８ａを有しており、各光透過部８ａをバンプ形成領域に合わせ込む。その後、露光マスク８を通して感光性のポリイミド膜７を露光し、現像する（図２（ｃ１）、（ｃ２））。これにより、図２（ｄ１）、（ｄ２）に示すように、光透過部８ａに対応する領域に存在する感光性のポリイミド膜７が除去され、感光性のポリイミド膜７中に各テープリード２の上面の一部が露出する。本実施の形態２では、ポジ型の感光性のポリイミド膜を用いるが、ネガ型を用いてもよく、その場合には、光透過部と光遮断部の入れ替わった露光マスクを使用する。
【００４２】
なお、光透過部８ａのバンプ形成領域への合わせ込みは、テープリードの幅方向については光透過部８ａ中にテープリードの両端が収まるようにすればよく、バンプのテープリード幅方向の成長分を考慮する必要は無く、従来のめっき用スリットの合わせ込みのように高精度である必要は無い。
【００４３】
次に、図２（ｅ１）、（ｅ２）に示すように、感光性のポリイミド膜７が除去されて露出したテープリードの上面にめっき方式でバンプ６の形成を行う。以上の工程により、感光性のポリイミド膜７中に一部露出したテープリード２の上面にバンプ６が形成されたテープキャリア基板が完成する。
【００４４】
以上のように、本実施の形態２における製造方法で製造したテープキャリア基板は、フィルム基材１のテープリード２が設けられた面側の全面のうち、バンプ６が形成されている領域以外の領域が感光性のポリイミド膜７で被覆されたものとなる。
【００４５】
また、このテープキャリア基板をベースとする半導体装置は、バンプ６を介して、半導体チップの電極部とテープリード２が接続されるが、テープリード２のバンプ形成領域以外の部分が感光性のポリイミド膜７で被覆されているので、半導体チップの電極部以外の領域がテープリード２に接触して起こる電気的な不良を防ぐことができる。
【００４６】
なお、バンプ６の厚みは、半導体チップの電極部のバンプ６への接合時に圧力をバンプ６に集中させるため、感光性のポリイミド膜７の厚みよりも厚くする。また、バンプ６のテープリード２の幅方向に沿った断面形状は、中央部が両側よりも高くなった中高の形状にする。このようにすれば、半導体チップ実装時に半導体チップの電極部表面に形成された酸化膜を破りやすく、またＮＣＰ（Ｎｏｎ  Ｃｏｎｄｕｃｔｉｖｅ  Ｒｅｓｉｎ  Ｐａｓｔｅ）工法においては封止樹脂を押しのけやすい。よって、半導体チップの電極部とバンプ６との接合を容易に行うことができるようになる。
【００４７】
（実施の形態３）
図３は、本実施の形態３におけるテープキャリア基板の製造工程を示す図である。図３（ａ１）〜（ｇ１）は、テープキャリア基板の半導体搭載部の平面図である。図３（ａ２）〜（ｇ２）は、各々図３（ａ１）〜（ｇ１）に対応しており、図３（ａ１）に示すＡ−Ａ´の位置から見た断面を表している。
【００４８】
まず、前述した実施の形態１と同様にフィルム基材１を製造する（図３（ａ１）、（ａ２））。次に、このフィルム基材１のテープリード２が設けられた面の全面に感光性絶縁膜として感光性レジスト９を形成する（図３（ｂ１）、（ｂ２））。通常、感光性レジストの形成には印刷方法などが用いられる。なお、膜厚は２．０μｍ〜３．０μｍレベルにする。
【００４９】
次に、フィルム基材１のテープリードが設けられた面側に露光マスク１０を対向させる。露光マスク１０は、各テープリード２の長手方向を横切って各テープリード２の両側の領域に広がる光遮断部１０ａを有しており、各光遮断部１０ａをバンプ形成領域に合わせ込む。その後、露光マスク１０を通して感光性レジスト９を露光し、現像する（図３（ｃ１）、（ｃ２））。これにより、図３（ｄ１）、（ｄ２）に示すように、光遮断部１０ａに対応する領域に存在する感光性レジスト９を残してテープリード２が露出する。本実施の形態３では、ポジ型の感光性レジストを用いるが、ネガ型を用いてもよく、その場合には、光遮断部と光透過部の入れ替わった露光マスクを使用する。
【００５０】
なお、光遮断部１０ａのバンプ形成領域への合わせ込みは、テープリードの幅方向については光遮断部１０ａ中にテープリードの両端が収まるようにすればよく、バンプのテープリード幅方向の成長分を考慮する必要は無く、従来のめっき用スリットの合わせ込みのように高精度である必要は無い。
【００５１】
次に、図３（ｅ１）、（ｅ２）に示すように、テープリード２の露出した部分に絶縁膜１１を形成する。絶縁膜の形成方法には、電着絶縁膜形成方法などがある。電着絶縁膜形成方式で絶縁膜を形成する場合、絶縁膜成分を含むめっき液をテープリード２へ当て、テープリード２へ電流を供給することで、テープリード２の露出した部分（感光性レジスト９で覆われていない部分）に絶縁膜を形成する。なお、絶縁膜としては、例えば樹脂系のものを使用する。
【００５２】
次に、残りの感光性レジスト９を除去して、図３（ｆ１）、（ｆ２）に示すように、テープリード２を部分的に露出させる。これによりテープリード２は、絶縁膜で被覆された絶縁膜保護部分と、絶縁膜が除去されて導電性物質が露出した絶縁膜除去部分１２とに区分けされる。
【００５３】
次に、図３（ｇ１）、（ｇ２）に示すように、絶縁膜除去部分１２にめっき方式でバンプ６の形成を行う。以上の工程により、テープリード２の絶縁膜除去部分１２にバンプ６が形成されたテープキャリア基板が完成する。
【００５４】
（実施の形態４）
図４は、本実施の形態４におけるテープキャリア基板の製造工程を示す図である。図４（ａ１）〜（ｇ１）は、テープキャリア基板の半導体搭載部の平面図である。図４（ａ２）〜（ｇ２）は、各々図４（ａ１）〜（ｇ１）に対応しており、図４（ａ１）に示すＡ−Ａ´の位置から見た断面を表している。
【００５５】
まず、前述した実施の形態１と同様にフィルム基材１を製造する（図４（ａ１）、（ａ２））。次に、テープリード２の全面に電着絶縁膜形成方式により感光性絶縁膜１３を形成する（図４（ｂ１）、（ｂ２））。なお、感光性絶縁膜としては、例えば樹脂系のものを使用する。
【００５６】
次に、前述した実施の形態３と同様に、露光マスク１０を対向させ、露光マスク１０を通して感光性絶縁膜１３を露光し、現像する（図４（ｃ１）、（ｃ２））。これにより、図４（ｄ１）、（ｄ２）に示すように、光遮断部１０ａに対応する領域に存在する感光性絶縁膜１３を残してテープリード２が露出する。本実施の形態４では、ポジ型の感光性絶縁膜を用いるが、ネガ型を用いてもよく、その場合には、光遮断部と光透過部の入れ替わった露光マスクを使用する。
【００５７】
次に、図４（ｅ１）、（ｅ２）に示すように、テープリード２の露出した部分に電着絶縁膜形成方式により絶縁膜１１を形成する。その後、残りの感光性絶縁膜１３を除去して、図４（ｆ１）、（ｆ２）に示すように、テープリード２を部分的に露出させる。これによりテープリード２は、絶縁膜で被覆された絶縁膜保護部分と、絶縁膜が除去されて導電性物質が露出した絶縁膜除去部分１２とに区分けされる。なお、絶縁膜としては、例えば樹脂系のものを使用する。
【００５８】
次に、図４（ｇ１）、（ｇ２）に示すように、絶縁膜除去部分１２にめっき方式でバンプ６の形成を行う。以上の工程により、テープリード２の絶縁膜除去部分１２にバンプ６が形成されたテープキャリア基板が完成する。
【００５９】
以上のように、実施の形態１ないし４で説明した方法でテープキャリア基板を作製すれば、バンプを形成するめっき工程時点で、テープリード２上のバンプを形成しない部分に絶縁膜（酸化膜や感光性のポリイミド膜や樹脂系の絶縁膜など）が形成されているため、めっき用スリットが不要となる。したがって、従来のように、めっき用スリットの位置合わせに失敗してバンプの形状不良を招く事態を回避できる。また、テープリードの狭ピッチ化も可能となる。したがって、ＣＯＦ等の微細化に有用である。
【００６０】
さらに、半導体チップの電極部以外の領域がテープリードに接触して起こる電気的不良を回避できる。また、ストレスマイグレーションやエレクトロマイグレーションによる導電性物質の移動を防止し、テープリードやバンプがショートする異常の発生も回避できる。
【００６１】
また、実施の形態３、４において電着絶縁膜形成方式により形成した絶縁膜１１がフィルム基材の特徴を生かした折り曲げに対し十分に柔軟である場合には、ソルダーレジストとしてそのまま使用することができる。なお、十分に柔軟な絶縁膜としては、例えば樹脂系のものなどがある。
【００６２】
（実施の形態５）
図５（ａ）、（ｂ）は、本実施の形態５における半導体装置の一部を示す断面図である。図５（ａ）は、実施の形態１、３、４で説明した方法で作製したテープキャリア基板に半導体チップを実装した半導体装置のテープリードの長手方向に沿った断面を表しており、図５（ｂ）は、テープリードの幅方向に沿った断面を表している。図５に示すように、このテープキャリア基板をベースとする半導体装置は、バンプ６を介して、半導体チップの電極部１６とテープリード２が接続される。
【００６３】
図５（ａ）に示すように、テープリード２は、バンプ６が形成されている領域以外を絶縁膜１４で被覆されている。これにより、半導体チップ１５の電極部１６以外の領域がテープリード２に接触して起こる電気的な不良を防ぐことができる。ここで、バンプ６のテープリード２上面に形成されている部分の厚みは、半導体チップの電極部１６のバンプ６への接合時に圧力をバンプ６に集中させるため、絶縁膜１４の厚みよりも厚くする。
【００６４】
また図５（ｂ）に示すように、バンプ６は、テープリード２の長手方向を横切ってテープリード２の両側のフィルム基材１の領域に亘って形成されるとともに、テープリード２の上面および両側面に接合されているため、テープリード２とバンプ６との密着力が強くなり、半導体チップ実装時の応力によるバンプ６のテープリード２からの剥離を防ぐことができる。
【００６５】
また、バンプ６のテープリード２の幅方向に沿った断面形状は、中央部が両側よりも高くなった中高形状となっているため、半導体チップ実装時に半導体チップの電極部１６表面に形成された酸化膜を破りやすく、またＮＣＰ工法においては封止樹脂を押しのけやすい。よって、半導体チップの電極部１６とバンプ６との接合を容易に行うことができる。
【００６６】
（実施の形態６）
図６−１、６−２は、本実施の形態６におけるテープキャリア基板の製造工程を示す図である。図６−１、６−２（ａ１）〜（ｊ１）は、テープキャリア基板の半導体搭載部の平面図である。図６−１、６−２（ａ２）〜（ｊ２）は、各々図６−１、６−２（ａ１）〜（ｊ１）に対応しており、図６−１（ｂ１）に示すＡ−Ａ´の位置から見た断面を表している。
【００６７】
まず、図６−１（ａ１）、（ａ２）に示すように、フィルム基材１表面全体に下地金属１７を形成し、その下地金属１７表面全体に第１の感光性絶縁膜１８を形成する。次に、所定の配線パターン状の光透過部を有する露光マスク（第１の露光マスク）を通して露光、現像を施し、感光性絶縁膜１８を一部除去してテープリードを形成する領域に下地金属１７上面を露出させる（図６−１（ｂ１）、（ｂ２））。そして、図６−１（ｃ１）、（ｃ２）に示すように、金属めっき方式で、露出した下地金属１７上面にテープリード２を形成する。本実施の形態６では、ポジ型の第１の感光性絶縁膜を用いるが、ネガ型を用いてもよく、その場合には、光透過部と光遮断部を入れ替えた露光マスクを使用する。
【００６８】
次に、図６−１（ｄ１）、（ｄ２）に示すように、フィルム基材１のテープリード２が形成された面側の全面に第２の感光性絶縁膜１９を形成する。次に、前述した実施の形態３と同様に、露光マスク１０（第２の露光マスク）を対向させ、露光マスク１０を通して第２の感光性絶縁膜１９を露光し、現像する（図６−１（ｅ１）、（ｅ２））。これにより、図６−２（ｆ１）、（ｆ２）に示すように、光遮断部１０ａに対応する領域に存在する第２の感光性絶縁膜１９を残してテープリード２の上面の一部が露出する。本実施の形態６では、ポジ型の第２の感光性絶縁膜を用いるが、ネガ型を用いてもよく、その場合には、光遮断部と光透過部が入れ替わった露光マスクを使用する。
【００６９】
なお、第１と第２の感光性絶縁膜には、例えば樹脂系のものを使用する。また、第１の感光性絶縁膜はテープリードが十分形成される程度の厚みにし、第２の感光性絶縁膜はバンプが十分形成される程度の厚みにする。
【００７０】
次に、図６−２（ｇ１）、（ｇ２）に示すように、テープリード２の露出した上面部分に電着絶縁膜形成方式により絶縁膜１１を形成する。次に、残りの第２の感光性絶縁膜１９を除去して、図６−２（ｈ１）、（ｈ２）に示すように、テープリード２上面を部分的に露出させる。
【００７１】
次に、図６−２（ｉ１）、（ｉ２）に示すように、露出したテープリード２の上面にめっき方式でバンプ６の形成を行う。その後、図６−２（ｊ１）、（ｊ２）に示すように、残りの第１の感光性絶縁膜１８を除去するとともに、この残りの第１の感光性絶縁膜１８を除去して露出した下地金属１７も除去する。以上の工程により、テープリード２の上面にバンプ６が形成されたテープキャリア基板が完成する。
【００７２】
（実施の形態７）
図７は、本実施の形態７におけるテープキャリア基板の製造工程を示す図である。図７−１、７−２（ａ１）〜（ｊ１）は、テープキャリア基板の半導体搭載部の平面図である。図７−１、７−２（ａ２）〜（ｊ２）は、各々図７−１、７−２（ａ１）〜（ｊ１）に対応しており、図７−１（ｂ１）に示すＡ−Ａ´の位置から見た断面を表している。
【００７３】
図７−１（ａ１）、（ａ２）〜図７−１（ｃ１）、（ｃ２）までの工程は、実施の形態６で説明した図６−１（ａ１）、（ａ２）〜図６−１（ｃ１）、（ｃ２）までの工程と同じであるので、説明を省略する。
【００７４】
本実施の形態７では、図７−１（ｄ１）、（ｄ２）に示すように、露出したテープリード２上面に電着絶縁膜形成方式により第２の感光性絶縁膜１９を形成する。そして、実施の形態６と同様に、露光マスク１０を対向させ、露光マスク１０を通して第２の感光性絶縁膜１９を露光し、現像する（図７−１（ｅ１）、（ｅ２））。これにより、図７−２（ｆ１）、（ｆ２）に示すように、光遮断部１０ａに対応する領域に存在する第２の感光性絶縁膜１９を残してテープリード２の上面の一部が露出する。
【００７５】
以降の図７−２（ｇ１）、（ｇ２）〜図７−２（ｊ１）、（ｊ２）までの工程は、実施の形態６で説明した図６−２（ｇ１）、（ｇ２）〜図６−２（ｊ１）、（ｊ２）までの工程と同じであるので、説明を省略する。以上の工程により、テープリード２の上面にバンプ６が形成されたテープキャリア基板が完成する。
【００７６】
（実施の形態８）
図８（ａ）、（ｂ）は、本実施の形態８における半導体装置の一部を示す断面図である。図８（ａ）は、実施の形態６、７で説明した方法で作製したテープキャリア基板に半導体チップを接合した半導体装置のテープリードの長手方向に沿った断面を表しており、図８（ｂ）は、テープリードの幅方向に沿った断面を表している。図８に示すように、このテープキャリア基板をベースとする半導体装置は、バンプ６を介して、半導体チップの電極部１６とテープリード２が接続される。
【００７７】
図８（ａ）に示すように、テープリード２の上面は、バンプ６が形成されている領域以外を絶縁膜１４で被覆されている。これにより半導体チップ１５の電極部１６以外の領域がテープリード２に接触して起こる電気的な不良を防ぐことができる。ここで、バンプ６の厚みは、半導体チップの電極部１６のバンプ６への接合時に圧力をバンプ６に集中させるため、絶縁膜１４の厚みよりも厚くする。
【００７８】
また図８（ｂ）に示すように、実施の形態６、７で説明した方法でテープキャリア基板を作製すれば、バンプ６のテープリード幅方向については、テープリード２の幅以上には成長しないので、テープリード２の配線間隔を狭く設計でき、狭ピッチ化が可能となる。
【００７９】
以上のように、各実施の形態によれば、めっき用スリットを用いずにテープキャリア基板を製造でき、したがってめっき用スリットの位置ずれによるバンプの形状不良を回避できる。また、めっき用スリットのスリット孔が、狙いのテープリード以外に、隣接するテープリードにもかかってしまう異常についての対策が可能となり、テープリードの狭ピッチ化が可能となる。
【００８０】
さらに、半導体装置の組み立て中にテープリードが半導体チップの電極部以外の領域に接触してしまい、組み立て後にテープリード自体の導電性物質を通じて半導体チップに電流がリークする電気的不良を回避することができる。
【００８１】
また、テープリードが狭パッドピッチになった場合でもテープリードが絶縁状態にあるため、ストレスマイグレーションやエレクトロマイグレーションによるテープリードやバンプのショートを回避できる。
【００８２】
なお、各実施の形態では、長さが異なり且つ整列したテープリードが半導体搭載部に設けられたフィルム基材を用いたが、長さの揃ったテープリードが設けられたフィルム基材であっても同様に実施することができる。
【産業上の利用可能性】
【００８３】
本発明にかかる配線基板の製造方法、及び配線基板、並びに半導体装置は、めっき用スリットを用いずに配線基板を製造でき、したがってめっき用スリットの位置ずれによる突起電極の形状不良を回避できるとともに、導体配線の狭ピッチ化が可能となり、さらに、導体配線が半導体素子の電極部以外の領域に接触して起こる電気的不良を回避でき、また、導体配線が狭パッドピッチになった場合に起こるストレスマイグレーションやエレクトロマイグレーションを防止して導体配線や突起電極のショートを回避でき、特に微細なパッケージモジュールに有用である。
【図面の簡単な説明】
【００８４】
【図１】本発明の実施の形態１におけるテープキャリア基板の製造工程を示す図であり、（ａ１）〜（ｅ１）は、テープキャリア基板の半導体搭載部の平面図、（ａ２）〜（ｅ２）は、各々（ａ１）〜（ｅ１）に対応しており、（ａ１）に示すＡ−Ａ´の位置から見た断面を表す図
【図２】本発明の実施の形態２におけるテープキャリア基板の製造工程を示す図であり、（ａ１）〜（ｅ１）は、テープキャリア基板の半導体搭載部の平面図、（ａ２）〜（ｅ２）は、各々（ａ１）〜（ｅ１）に対応しており、（ａ１）に示すＡ−Ａ´の位置から見た断面を表す図
【図３】本発明の実施の形態３におけるテープキャリア基板の製造工程を示す図であり、（ａ１）〜（ｇ１）は、テープキャリア基板の半導体搭載部の平面図、（ａ２）〜（ｇ２）は、各々（ａ１）〜（ｇ１）に対応しており、（ａ１）に示すＡ−Ａ´の位置から見た断面を表す図
【図４】本発明の実施の形態４におけるテープキャリア基板の製造工程を示す図であり、（ａ１）〜（ｇ１）は、テープキャリア基板の半導体搭載部の平面図、（ａ２）〜（ｇ２）は、各々（ａ１）〜（ｇ１）に対応しており、（ａ１）に示すＡ−Ａ´の位置から見た断面を表す図
【図５】本発明の実施の形態５における半導体装置の一部を示す断面図であり、（ａ）は、半導体装置のテープリードの長手方向に沿った断面を表す図、（ｂ）は、テープリードの幅方向に沿った断面を表す図
【図６−１】、
【図６−２】本発明の実施の形態６におけるテープキャリア基板の製造工程を示す図であり、（ａ１）〜（ｊ１）は、テープキャリア基板の半導体搭載部の平面図、（ａ２）〜（ｊ２）は、各々（ａ１）〜（ｊ１）に対応しており、（ｂ１）に示すＡ−Ａ´の位置から見た断面を表す図
【図７−１】、
【図７−２】本発明の実施の形態７におけるテープキャリア基板の製造工程を示す図であり、（ａ１）〜（ｊ１）は、テープキャリア基板の半導体搭載部の平面図、（ａ２）〜（ｊ２）は、各々（ａ１）〜（ｊ１）に対応しており、（ｂ１）に示すＡ−Ａ´の位置から見た断面を表す図
【図８】本発明の実施の形態８における半導体装置の一部を示す断面図であり、（ａ）は、半導体装置のテープリードの長手方向に沿った断面を表す図、（ｂ）は、テープリードの幅方向に沿った断面を表す図
【図９】従来のテープキャリア基板の製造工程を示す図であり、（ａ１）〜（ｄ１）は、テープキャリア基板の半導体搭載部の平面図、（ａ２）〜（ｄ２）は、各々（ａ１）〜（ｄ１）に対応しており、（ａ１）に示すＡ−Ａ´の位置から見た断面を表す図
【図１０】従来のテープキャリア基板における不具合を示す図
【符号の説明】
【００８５】
１      フィルム基材
２      テープリード
３      酸化膜
４      エッチング用スリット
４ａ    スリット孔
５      酸化膜除去部分
６      バンプ
７      感光性のポリイミド膜
８      露光マスク
８ａ    光透過部
９      感光性レジスト
１０      露光マスク
１０ａ    光遮断部
１１      絶縁膜
１２      絶縁膜除去部
１３      感光性絶縁膜
１４      絶縁膜
１５      半導体チップ
１６      半導体チップの電極部
１７      下地金属
１８      第１の感光性絶縁膜
１９      第２の感光性絶縁膜
２０      めっき用スリット
２０ａ    スリット孔
【図１】
2006269700.tif 000003
【図２】
2006269700.tif 000004
【図３】
2006269700.tif 000005
【図４】
2006269700.tif 000006
【図５】
2006269700.tif 000007
【図６−１】
2006269700.tif 000008
【図６−２】
2006269700.tif 000009
【図７−１】
2006269700.tif 000010
【図７−２】
2006269700.tif 000011
【図８】
2006269700.tif 000012
【図９】
2006269700.tif 000013
【図１０】
2006269700.tif 000014